(57)【要約】【課題】音声画像機能を備えるカード及びギフトの提供。【解決手段】音声画像機能を備えるカードは、カード本体及び蓋体を含み、前記カード本体内には音声画像機能回路装置を結合し、前記カード本体上には画像表示装置、音源録音再生装置、複数の操作ボタンを備え、それぞれを音声画像機能回路装置に接続し、また、前記カード本体の側面には端子座を設け、やはり前記音声画像機能回路装置に接続し、導線端子を挿入してパソコンと接続させ、音声画像または写真を前記カード本体内の音声画像機能回路装置に伝送することを特徴とする。【選択図】図２
0003153618.tif 000002
【実用新案登録請求の範囲】
【請求項１】
カード本体及び蓋体を含み、前記カード本体内には音声画像機能回路装置を結合し、前記カード本体上には画像表示装置、音源録音再生装置、複数の操作ボタンを備え、それぞれを音声画像機能回路装置に接続し、また、前記カード本体の側面には端子座を設け、やはり前記音声画像機能回路装置に接続し、導線端子を挿入してパソコンと接続させ、音声画像または写真を前記カード本体内の音声画像機能回路装置に伝送することを特徴とする音声画像機能を備えるカード。
【請求項２】
前記音源録音再生装置は、言葉、歌、及び音楽を録音して前記カード本体内の音声画像機能回路装置に入力するものであり、前記カード本体上の複数の操作ボタンによってカード電源の開閉、画像表示装置の画像切り替え、及び音源切り替え機能をコントロールすることを特徴とする請求項１記載の音声画像機能を備えるカード。
【請求項３】
前記カード本体の別の一方側にはプッシュ式の第二スイッチを備え、カードを開いた時、電源スイッチを自動的にオンにし、音声画像内容を自動再生することを特徴とする請求項１記載の音声画像機能を備えるカード。
【請求項４】
アルバム、日記、ノート、ギフトボックス等に音声画像機能回路装置を結合するギフトは、更に、画像表示装置、音源録音再生装置、複数の操作ボタンを備え、それぞれを前記音声画像機能回路装置に接続し、画像写真は前記音声画像機能回路装置に保存し、前記操作ボタンを使って画像表示装置に表示することを特徴とする音声画像機能を備えるギフト。
【考案の詳細な説明】
【技術分野】
【０００１】
本考案は、カード及びギフトに関するものであり、特に、音声画像機能を備えるカード及びギフトに係る。
【背景技術】
【０００２】
公知のカードは、通常、精美な図案や文字によってカードの美感及びその特色を際立たせている。当然ながら、カードを送る者は、伝えたい自分の考えや文字をカード内に書く。また、通称ミュージックカードと言われる商品は、カードの内側のページにバネ接触式の音楽ボイス装置を貼り付けて、カードを開いた時に、自動的にミュージックボイスが流れるもので、カードのアクティビティ性やユニーク性を高めている。
【０００３】
しかしこの種の公知のカードは、印刷が如何に精巧で美しく特殊で、音楽が如何に素晴らしいものであっても、真実感と親しみさに欠け、伝えたい考え、気持ち、メッセージを臨場感を以って十分に表現することはできず、よって、公知のカードは、美しさの中に不足感のあるものとなる。
【考案の概要】
【考案が解決しようとする課題】
【０００４】
本考案の目的は、上述の欠点に対し、音声画像機能を備えるカード及びギフトを提供することにある。それによって、伝統的なカードの美感を保ち、真実感のある音声画像方式で送り主のメッセージを伝えるカードは、公知カードの美しさの中にある不足感を解決する。
【課題を解決するための手段】
【０００５】
前述目的を達成させる為に、本考案の提供する音声画像機能を備えるカードは、カード本体及び蓋体を含み、前記カード本体内には音声画像機能回路装置を結合し、前記カード本体上には画像表示装置、音源録音再生装置、複数の操作ボタンを設け、それぞれを音声画像機能回路装置に接続する。また、前記カード本体の側面には端子座を設け、やはり前記音声画像機能回路装置に接続し、導線端子を挿入してパソコンと接続させ、音声画像または写真を前記カード本体内の音声画像機能回路装置に伝送する。
【０００６】
前述目的を達成させる為に、本考案はギフトを提供する。前記ギフトとはアルバム、日記、ノート、ギフトボックスであり、それに音声画像機能回路装置を結合させる。それは、画像表示装置、音源録音再生装置、複数の操作ボタンを備え、それぞれを音声画像機能回路装置に接続する。前記画像写真は前記音声画像機能回路装置に保存し、前記操作ボタンを使って画像表示装置に表示する。
【考案の効果】
【０００７】
本考案は、祝賀カード、披露宴等のカード、その他メッセージを伝えるカードの改良に関するものであり、改良後のカードは、送り主が自分で自由に伝えたい音声画像内容を入力し、受領者は簡単な操作でカードの音声画像内容を再生でき、嘗て見られなかった効果を獲得できる。また、本考案は、アルバム、ノート、ギフトボックス等のその他物品上に結合でき、利用価値を高めることを特徴とする。
【図面の簡単な説明】
【０００８】
【図１】本考案のカードに関する立体外観図である。
【図２】本考案のカードに関する構造図である。
【図３】本考案の実施図である。
【図４】本考案の音声画像機能回路装置に関するブロック図である。
【考案を実施するための形態】
【０００９】
次に、図面を参考しながら、本考案に関する上述及びその他の技術特徴と長所の詳細説明を行う。
図１乃至図３に示す通り、本考案は一種の音声画像機能を備えるカードであり、前記カード１０は、本体１１及び薄い蓋体１２を備える。蓋体１２及び本体１１の内側外側には精美な図案や文字を印刷し、本体１１面上に画像表示装置１３を結合することが特徴であり、また、適当箇所に音源録音再生装置１４を設ける。更に、画像表示装置１３下方表面に複数の操作ボタン１５を設け、本体１１側面の適当箇所に端子座１６を設け、また、本体１１内には音声画像機能回路装置３０を設け、画像表示装置１３、音源録音再生装置１４、操作ボタン１５、端子座１６にそれぞれ接続する。これは図４に示す通りである。
【００１０】
使用時、端子座１６に導線端子２０を挿入してパソコンと接続し、パソコンを使って音声画像または図面を編集した後、カード本体１１内の音声画像機能回路装置３０に伝送し、音源録音再生装置１４を通して録音した自分の言葉、歌、または音楽をカード本体１１内に入力し、カード本体１１上の複数の操作ボタン１５によってカード電源の開閉、画像表示装置１３の画像切り替え、及び音源切り替え機能を制御する。また、本考案は、本体１１側面にプッシュ式の第二スイッチを設けて、カード１０の蓋体１２を開いた時、電源スイッチを自動的に作動させ、音声画像を再生することも可能である。
【００１１】
前記したものは本考案の実施例に関する応用方式を述べただけであり、本考案の設計する音声画像機能を備えるカード装置は、アルバム、日記、ノート等ギフト品上に応用することも可能であり、画像図面をアルバム表紙内の音声画像機能回路装置に保存し、操作ボタン１５によって画像表示装置に表示するものである。音源録音再生装置１４を使って言葉を録音すると、アルバム、日記、ノートを更に生き生きとしたものにし、また、送り主はギフト上に真実感溢れる方式で音声画像を受取人に伝えることができ、良好な実用効果を高めるものである。
【００１２】
以上の説明は本考案を説明したものであるが、これに制限されないものとする。本分野の技術者であれば普通に理解することが可能で、次の実用新案請求の範囲に限定する精神と範囲を逸脱せずに、多くの修正、変化、同等効果を行うことは可能であり、これらは全て本考案の保護範囲内に含まれるものとする。
【符号の説明】
【００１３】
１０  カード
１１  本体
１２  蓋体
１３  画像表示装置
１４  音源録音再生装置
１５  操作ボタン
１６  端子座
２０  導線端子
３０  音声画像機能回路装置
【図１】
0003153618.tif 000003
【図２】
0003153618.tif 000004
【図３】
0003153618.tif 000005
【図４】
0003153618.tif 000006